(57)【要約】【課題】  遊技盤と裏セット板とを一体化して本体枠から取り外す。【解決手段】  本体枠３の固定部３ａに、遊技盤固定ネジ孔３ｂ、裏セット板固定ネジ孔３ｃを形成する。遊技盤固定ボルト１６は、雄ネジ１６ａ、頭部１６ｂを備える。頭部１６ｂを、挿通孔４ｂ及び露呈孔４ｃの径よりも大きい径で形成する。裏セット板固定ボルト１７は、雄ネジ１７ａ、六角形状の頭部１７ｂを備える。頭部１７ｂを、裏セット板ネジ孔１８ｄの径よりも大きい径で形成する。頭部１７ｂに、凹状の頭部ネジ孔１７ｃを形成する。裏セット板１８の本体部１８ａに、裏セット板ネジ孔１８ｄを形成する。遊技盤４に、挿通孔４ｂ、露呈孔４ｃを形成する。雄ネジ１６ａを、露呈孔４ｃに挿通して頭部ネジ孔１７ｃに挿入して、頭部ネジ孔１７ｃに形成された雌ネジに螺合させる。これにより、裏セット板１８と遊技盤４とが一体化される。【選択図】        図６
2006015073.tif 000002
【特許請求の範囲】
【請求項１】
遊技盤と、前記遊技盤の裏面側に配置される裏機構板と、前記遊技盤及び前記裏機構板を保持する本体基部とを備え、前記裏機構板と前記遊技盤とが前面側から順次に前記本体基部に取り外し可能に固定される遊技機において、
先端側の雄ネジを、前記裏機構板の前面側から当該裏機構板に形成された貫通ネジ孔、前記本体基部に形成された第１本体ネジ孔に順次に螺合させて締めつけることによって前記裏機構板を前記本体基部に固定するとともに、前記貫通ネジ孔の径よりも大きい径で形成された後端側の頭部に頭部ネジ孔が設けられた第１ボルトと、
前記遊技盤の前面側から当該遊技盤に形成された貫通孔に挿通され、先端側の雄ネジを前記本体基部に形成された第２本体ネジ孔に前記第１ボルトとは逆向きに螺合させて締めつけることによって、前記裏機構板の前面を覆い、且つ前記遊技盤に形成されたボルト挿通孔を前記第１ボルトの頭部に整列させた状態で前記遊技盤を前記本体基部に固定するとともに、後端側の頭部が前記貫通孔及び前記ボルト挿通孔の径よりも大きい径で形成された第２ボルトとを備え、
前記遊技盤及び前記裏機構板の取り外し時には、螺合を解いて取り外した前記第２ボルトの雄ネジを前記ボルト挿通孔を挿通して前記頭部ネジ孔に螺合していくことにより、前記遊技盤と前記裏機構板とが一体化されてから前記第１ボルトの雄ネジと前記第１本体ネジ孔との螺合が解かれることを特徴とする遊技機。
【請求項２】
前記遊技盤の後面には、前記ボルト挿通孔に連通するとともに、前記第１ボルトの頭部を収納する収納凹部が設けられ、前記第１ボルトの長さをＬ１とし、前記裏機構板の前後方向の厚みをＬ２とし、前記収納凹部の前後方向の凹長さをＬ３としたときに、Ｌ３＜Ｌ１＜（Ｌ２＋Ｌ３）の関係を満たすことを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、ガイドレール枠が取り付けられた遊技盤と、図柄可変表示装置や制御回路基板が組み付けられた裏機構板と称される支持体とが一体的に組み付けられてユニット化された遊技盤ユニットが、パチンコ機を構成する基体となる本体基部の枠状の取付部に着脱自在に取り付けられている。近年では、本体基部を複数種類の機種に対応可能な共通部品として遊技場に据え置きにして、遊技盤と裏機構板とのいずれか１つまたは両方（遊技盤ユニット）を新たなものに交換することでパチンコ機の機種交換を行うことがある。
【発明の開示】
【発明が解決しようとする課題】
【０００３】
しかしながら、裏機構板と遊技盤とは一体的に組み付けられてユニット化されており、遊技盤ユニットとして裏機構板と遊技盤との両方を交換する場合に限らず、裏機構板と遊技盤とのいずれか１つを交換する場合にも、遊技盤ユニットを本体基部から取り外してから裏機構板と遊技盤とのいずれか１つを新たなものに交換する必要があり、交換作業に手間がかかるものであった。このため、裏機構板と遊技盤とをそれぞれ個別に本体基部に着脱自在に取り付ける方法が考えられるが、この方法では、裏機構板と遊技盤との両方を交換する場合には、本体枠から取り外した裏機構板と遊技盤とは、バラバラになっており、本体枠から取り外した裏機構板と遊技盤とを工場等に搬送して再使用する際に、それぞれ個別に搬送する必要があり、手間がかかっていた。
【０００４】
本発明は、上記課題を解決するためになされたものであり、裏機構板と遊技盤とを本体基部から取り外す際に、状況に応じて、一体化して取り外すか個別に取り外すかを選択することができる遊技機を提供することを目的とする。
【課題を解決するための手段】
【０００５】
上記目的を達成するために、本発明の遊技機は、遊技盤と、前記遊技盤の裏面側に配置される裏機構板と、前記遊技盤及び前記裏機構板を保持する本体基部とを備え、前記裏機構板と前記遊技盤とが前面側から順次に前記本体基部に取り外し可能に固定される遊技機において、先端側の雄ネジを、前記裏機構板の前面側から当該裏機構板に形成された貫通ネジ孔、前記本体基部に形成された第１本体ネジ孔に順次に螺合させて締めつけることによって前記裏機構板を前記本体基部に固定するとともに、前記貫通ネジ孔の径よりも大きい径で形成された後端側の頭部に頭部ネジ孔が設けられた第１ボルトと、前記遊技盤の前面側から当該遊技盤に形成された貫通孔に挿通され、先端側の雄ネジを前記本体基部に形成された第２本体ネジ孔に前記第１ボルトとは逆向きに螺合させて締めつけることによって、前記裏機構板の前面を覆い、且つ前記遊技盤に形成されたボルト挿通孔を前記第１ボルトの頭部に整列させた状態で前記遊技盤を前記本体基部に固定するとともに、後端側の頭部が前記貫通孔及び前記ボルト挿通孔の径よりも大きい径で形成された第２ボルトとを備え、前記遊技盤及び前記裏機構板の取り外し時には、螺合を解いて取り外した前記第２ボルトの雄ネジを前記ボルト挿通孔を挿通して前記頭部ネジ孔に螺合していくことにより、前記遊技盤と前記裏機構板とが一体化されてから前記第１ボルトの雄ネジと前記第１本体ネジ孔との螺合が解かれることを特徴とする。
【０００６】
なお、前記遊技盤の後面には、前記ボルト挿通孔に連通するとともに、前記第１ボルトの頭部を収納する収納凹部が設けられ、前記第１ボルトの長さをＬ１とし、前記裏機構板の前後方向の厚みをＬ２とし、前記収納凹部の前後方向の凹長さをＬ３としたときに、Ｌ３＜Ｌ１＜（Ｌ２＋Ｌ３）の関係を満たすことが好ましい。
【発明の効果】
【０００７】
本発明の遊技機によれば、遊技盤と、遊技盤の裏面側に配置される裏機構板と、遊技盤及び裏機構板を保持する本体基部とを備え、裏機構板と遊技盤とが前面側から順次に本体基部に取り外し可能に固定され、先端側の雄ネジを、裏機構板の前面側から当該裏機構板に形成された貫通ネジ孔、本体基部に形成された第１本体ネジ孔に順次に螺合させて締めつけることによって裏機構板を本体基部に固定するとともに、貫通ネジ孔の径よりも大きい径で形成された後端側の頭部に頭部ネジ孔が設けられた第１ボルトと、遊技盤の前面側から当該遊技盤に形成された貫通孔に挿通され、先端側の雄ネジを本体基部に形成された第２本体ネジ孔に第１ボルトとは逆向きに螺合させて締めつけることによって、裏機構板の前面を覆い、且つ遊技盤に形成されたボルト挿通孔を第１ボルトの頭部に整列させた状態で遊技盤を本体基部に固定するとともに、後端側の頭部が貫通孔及びボルト挿通孔の径よりも大きい径で形成された第２ボルトとを備え、遊技盤及び裏機構板の取り外し時には、螺合を解いて取り外した第２ボルトの雄ネジをボルト挿通孔を挿通して頭部ネジ孔に螺合していくことにより、遊技盤と裏機構板とが一体化されてから第１ボルトの雄ネジと第１本体ネジ孔との螺合が解かれるから、本体基部に形成された第２本体ネジ孔と第２ボルトの雄ネジとの螺合を解き、第２ボルトの雄ネジをボルト挿通孔を挿通して頭部ネジ孔に螺合すると、遊技盤と裏機構板とを一体化してから第１ボルトの雄ネジと第１本体ネジ孔との螺合を解き、遊技盤と裏機構板とを一体化した状態で本体頭部から取り外すことができるため、遊技盤を本体基部に固定するための第２ボルトを用いて裏機構板と遊技盤とを一体化した状態で本体基部から取り外すことができ、裏機構板と遊技盤とを一体化するための部材を用意する必要がなく、作業性を向上することができる。さらには、第２ボルトの雄ネジと本体基部の第２本体ネジ孔との螺合を解除して、遊技盤と本体基部との係止を解除した後に、第２ボルトをボルト挿通孔に挿通せずに裏機構板と遊技盤とを一体化しない場合には、裏機構板と遊技盤とをそれぞれ個別に本体基部から取り外すことができるから、裏機構板と遊技盤とを本体基部から取り外す際に、状況に応じて、一体化して取り外すか個別に取り外すかを選択することができる。
【０００８】
また、遊技盤の後面には、ボルト挿通孔に連通するとともに、第１ボルトの頭部を収納する収納凹部が設けられ、第１ボルトの長さをＬ１とし、裏機構板の前後方向の厚みをＬ２とし、収納凹部の前後方向の凹長さをＬ３としたときに、Ｌ３＜Ｌ１＜（Ｌ２＋Ｌ３）の関係を満たすから、第２ボルトの雄ネジをボルト挿通孔を挿通して頭部ネジ孔に螺合し、第１ボルトの頭部の先端面が収納凹部の底面に接触したときが、裏機構板と遊技盤とが一体化されているとともに裏機構板と本基部との係止が解除された状態となるため、容易に裏機構板と遊技盤とを一体化した状態で本体基部から取り外すことができる。
【発明を実施するための最良の形態】
【０００９】
図１に示すように、遊技機の１実施例であるパチンコ機２は、本体枠（本体基部）３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、アタッカ１２、アウト口１３が設けられている。また、遊技盤４の略中央には、センター役物１４が設けられており、センター役物１４に形成された開口１４ａを介して、図柄可変表示装置９を視認することができる。
【００１０】
遊技者は供給皿６にパチンコ球７を投入して遊技を開始する。投入されたパチンコ球７は供給皿６内に設けられた誘導路を経て球発射装置に導かれる。遊技者は、回動式の操作ハンドル８を所定量回動して球発射装置の駆動を制御することで、パチンコ球７を１個ずつ遊技盤４の遊技領域４ａの上方に向けて打ち出すことができる。打ち出されたパチンコ球７は遊技領域４ａの上方から流下する途中で各入賞口１０, １１及びアタッカ１２のいずれかに入るか、あるいはアウト口１３から回収される。なお、パチンコ機２の遊技領域４ａに設けられている複数の釘、風車などの構造物は公知であるので説明は省略する。
【００１１】
前面扉５は、本体枠３の前面に開閉自在に取り付けられており、前面の上側端部には、遊技の際に点灯及び消灯させることにより演出効果を出すランプ１５が設けられている。前面扉５の内側には、可視可能なガラスが取り付けられている。なお、前面扉５が閉じているロック状態であるときには、遊技者や遊技場の作業者は、ガラスを通して遊技盤４の遊技領域４ａを流下していくパチンコ球７を見ることはできるが、遊技盤４にはもちろんのこと本体枠３の内部にも触れることができないようになっている。また、前面扉５の前面には、挿通孔４ｂ及び遊技盤固定ボルト１６（図２参照）を前面側から視認することができないように遮蔽する装飾部５ａが設けられている。
【００１２】
図２に示すように、遊技盤４は遊技盤固定ボルト１６により、裏セット板（裏機構板）１８は裏セット板固定ボルト１７により、それぞれ本体枠３の枠状に形成された固定部３ａに取り外し可能に固定されている。固定部３ａは、遊技盤４及び裏セット板１８を収納するために、本体枠３の前面よりも裏面側に１段凹んで形成されている。固定部３ａの四隅には、遊技盤４を固定するための遊技盤固定ネジ孔（第２本体ネジ孔）３ｂが形成されている。遊技盤固定ネジ孔３ｂには、遊技盤固定ボルト１６を図２中Ａ方向に回転することにより遊技盤固定ボルト１６の雄ネジ１６ａに螺合し、遊技盤固定ボルト１６を図２中Ｂ方向に回転することにより雄ネジ１６ａとの螺合を解除するような雌ネジが形成されている。固定部３ａの遊技盤固定ネジ孔３ｂよりも内側の四隅には、裏セット板１８を固定するための裏セット板固定ネジ孔（第１本体ネジ孔）３ｃが形成されている。裏セット板固定ネジ孔３ｃには、裏セット板固定ボルト１７を図２中Ｂ方向に回転することにより裏セット板固定ボルト１７の雄ネジ１７ａに螺合し、裏セット板固定ボルト１７を図２中Ａ方向に回転することにより雄ネジ１７ａとの螺合を解除するような雌ネジが形成されている。すなわち、遊技盤固定ネジ孔３ｂに形成された雌ネジは右ネジ、裏セット板固定ネジ孔３ｃに形成された雌ネジは左ネジとなっている。
【００１３】
遊技盤固定ボルト（第２ボルト）１６は、遊技盤４を本体枠３の固定部３ａに取り外し可能に固定するものであり、雄ネジ１６ａと頭部１６ｂとを備える。雄ネジ１６ａは、雄ネジ１６ａを図２中Ａ方向に回転することにより、遊技盤固定ネジ孔３ｂの雌ネジに螺合し、図２中Ｂ方向に回転することにより、遊技盤固定ネジ孔３ｂの雌ネジとの螺合を解除するように形成されている。頭部１６ｂは、挿通孔（貫通孔）４ｂ及び露呈孔（ボルト挿通孔）４ｃの径よりも大きい径で形成されている。遊技盤固定ボルト１６は、４個設けられている。
【００１４】
裏セット板固定ボルト（第１ボルト）１７は、裏セット板１８を本体枠３の固定部３ａに取り外し可能に固定するものであり、雄ネジ１７ａと六角形状の頭部１７ｂとを備える。雄ネジ１７ａは、雄ネジ１７ａを図２中Ｂ方向に回転することにより、裏セット板固定ネジ孔３ｃの雌ネジに螺合し、図２中Ａ方向に回転することにより、裏セット板固定ネジ孔３ｃの雌ネジとの螺合を解除するように形成されている。頭部１７ｂは、裏セット板ネジ孔（貫通ネジ孔）１８ｄの径よりも大きい径で形成されている。頭部１７ｂには、凹状の頭部ネジ孔１７ｃが形成されており、頭部ネジ孔１７ｃには、遊技盤固定ボルト１６を図２中Ａ方向に回転することにより、遊技盤固定ボルト１６の雄ネジ１６ａに螺合し、遊技盤固定ボルト１６を図２中Ｂ方向に回転することにより雄ネジ１６ａとの螺合を解除するような雌ネジが形成されている。裏セット板固定ボルト１７は、４個設けられている。すなわち、遊技盤固定ボルト１６の雄ネジ１６ａと裏セット板固定ボルト１７の頭部ネジ孔１７ｃに形成された雌ネジとは右ネジ、裏セット板固定ボルト１７の雄ネジ１７ａは左ネジとなっている。
【００１５】
裏セット板（裏機構板）１８は、図柄可変表示装置９、主制御回路基板３１及び副制御回路基板３２（図５参照）を支持する略板状の本体部１８ａを備え、本体部１８ａの前面には複数のリブ１８ｂが設けられ、これらリブ１８ｂにより球通路１８ｃが形成されている。遊技を行った際に各入賞口１０、１１、アタッカ１２及びアウト口１３に入ったパチンコ球７は、リブ１８ｂにより形成された球通路１８ｃを通過して所定の受け部に誘導される。本体部１８ａの四隅には、本体部１８ａに貫通して裏セット板ネジ孔（貫通ネジ孔）１８ｄが形成されている。裏セット板ネジ孔１８ｄには、裏セット板固定ボルト１７を図中Ｂ方向に回転することにより、雄ネジ１７ａに螺合し、裏セット板固定ボルト１７を図中Ａ方向に回転することにより雄ネジ１７ａとの螺合を解除するような雌ネジが形成されている。
【００１６】
遊技盤４の四隅には、遊技盤固定ボルト１６の雄ネジ１６ａを挿通するための挿通孔（貫通孔）４ｂが形成されている。遊技盤４の挿通孔４ｂよりも内側の四隅には、裏セット板固定ボルト１７の頭部１７ｂに形成された頭部ネジ孔１７ｃを露呈するための露呈孔（ボルト挿通孔）４ｃが形成されており、この露呈孔４ｃは、裏セット板１８及び遊技盤４を順次に本体枠３に固定すると、頭部１７ｂに整列された状態となる。遊技盤４の裏面の四隅には、裏セット板固定ボルト１７の頭部１７ｂを収納するための凹状の収納凹部４ｄが露呈孔４ｃに連通して形成されている（図３参照）。遊技盤４の前面には、外レール２６、第１内レール２７、第２内レール２８が取り付けられている。外レール２６と第１内レール２７との間は、打ち出されたパチンコ球７を遊技領域４ａに向けて誘導するためのガイド部となる。外レール２６、第１内レール２７及び第２内レール２８は、例えばポリアセタール等の摺動性、耐摩耗性に優れた樹脂材から形成されている。
【００１７】
図３（Ａ）に示すように、裏セット板１８を本体枠３の固定部３ａに装着し、裏セット板固定ボルト１７の雄ネジ１７ａを裏セット板ネジ孔１８ｄに挿入して、ラチェットレンチ等の工具により裏セット板固定ボルト１７を図３中Ｂ方向に回転すると、雄ネジ１７ａが、裏セット板ネジ孔１８ｄに形成された雌ネジ、裏セット板固定ネジ孔３ｃに形成された雌ネジに順次に螺合する。これにより、図３（Ｂ）に示すように、裏セット板１８が本体枠３の固定部３ａに固定される。
【００１８】
図４（Ａ）に示すように、遊技盤４を本体枠３に固定された裏セット板１８の前面に装着し、遊技盤固定ボルト１６の雄ネジ１６ａを挿通孔４ｂに挿通して、ドライバ等の工具により遊技盤固定ボルト１６を図４中Ａ方向に回転すると、雄ネジ１６ａが、遊技盤固定ネジ孔３ｂに形成された雌ネジに螺合する。これにより、図４（Ｂ）に示すように、遊技盤４が本体枠３の固定部３ａに固定される。
【００１９】
図５に示すように、主制御回路基板３１と副制御回路基板３２とは、接続ケーブルにより電気的に接続されている。副制御回路基板３２には、図柄可変表示装置９の可変表示制御を行うための演出プログラムが記憶されたプログラムＲＯＭ及び、図柄可変表示装置９で表示する画像データ、音声データ、ランプ１５の点灯及び消灯を行うためのランプデータ等が記憶されているデータＲＯＭが設けられている。主制御回路基板３１は、遊技中の電気的制御を行うものであり、副制御回路基板３２に所定の遊技状態となるように実行させる。例えば、始動入賞口１０に設けられている入賞球検知センサ（図示せず）によりパチンコ球７の入賞が検知されると、主制御回路基板３１にスタート信号が入力される。主制御回路基板３１は、スタート信号が入力されたことに応じてハズレ又は当たりを決定する抽選を行い、抽選結果に応じた命令信号を副制御回路基板３２に出力する。副制御回路基板３２は、入力された命令信号に応じてプログラムＲＯＭ及びデータＲＯＭから演出プログラム及び各種データを読み込み、読み込んだ演出プログラム及び各種データに応じて図柄可変表示装置９やランプ１５（図１参照）等の駆動を制御する。
【００２０】
上記のように構成されたパチンコ機２の作用について説明する。パチンコ機２の機種交換を行う際に、遊技盤４と裏セット板１８とを両方新たなものに交換する場合には、先ず、ドライバ等の工具により、４個の遊技盤固定ボルト１６のうちの１個を図４中Ｂ方向に回転し、遊技盤固定ボルト１６の雄ネジ１６ａと本体枠３の遊技盤固定ネジ孔３ｂに形成された雌ネジとの螺合を解除して、遊技盤固定ボルト１６を取り外す。そして、図６（Ａ）に示すように、取り外した遊技盤固定ボルト１６の雄ネジ１６ａを、遊技盤４の露呈孔４ｃに挿通して裏セット板固定ボルト１７の頭部ネジ孔１７ｃに挿入し、ドライバにより遊技盤固定ボルト１６を図６中Ａ方向に回転する。遊技盤固定ボルト１６を図６中Ａ方向に回転すると、図６（Ｂ）に示すように、雄ネジ１６ａが頭部ネジ孔１７ｃに形成された雌ネジに螺合する。遊技盤４の露呈孔４ｃは、遊技盤固定ボルト１６の頭部１６ｂよりも小さい径で形成されているため、遊技盤４は裏セット板１８から外れない状態となり、裏セット板１８と遊技盤４とが一体化された状態となる。同様にして、４個の遊技盤固定ボルト１６のうちの残りの３個の螺合を解除して、裏セット板固定ボルト１７の頭部ネジ孔１７ｃに形成された雌ネジに螺合した状態では、遊技盤４は、遊技盤４の前面が遊技盤固定ボルト１６の頭部１６ｂの後面に当接する位置と、遊技盤４の後面が裏セット板１８の本体部１８ａの前面に当接する位置との間で、図６（Ｂ）中の左右方向に移動可能となるが、裏セット板１８からは外れない。すなわち、遊技盤４と裏セット板１８とが一体化された状態とは、遊技盤４が裏セット板１８から外れない状態を示す。
【００２１】
遊技盤固定ボルト１６を、雄ネジ１６ａの先端面が頭部ネジ孔１７ｃの底面に接触した後にも、図６中Ａ方向に回転すると、裏セット板固定ボルト１７が図６中Ａ方向に回転する。裏セット板固定ボルト１７が図６中Ａ方向に回転すると、裏セット板固定ボルト１７の雄ネジ１７ａと本体枠３の裏セット板固定ネジ孔３ｃに形成された雌ネジとの螺合が徐々に解除されていく。
【００２２】
図７に示すように、裏セット板固定ボルト１７の長さをＬ１とし、裏セット板１８の本体部１８ａの厚みをＬ２とし、遊技盤４の収納凹部４ｄの前後方向の凹長さをＬ３としたときに、Ｌ３＜Ｌ１＜（Ｌ２＋Ｌ３）の関係を満たすように、遊技盤４、裏セット板固定ボルト１７及び裏セット板１８は形成されている。これにより、裏セット板固定ボルト１７の頭部１７ｂの前面が、遊技盤４の収納凹部４ｄの底面に接触するまで、裏セット板固定ボルト１７を図７中Ａ方向に回転すると、雄ネジ１７ａと裏セット板ネジ孔１８ｄに形成された雌ネジとの螺合は維持された状態で、裏セット板固定ボルト１７の雄ネジ１７ａと本体枠３の裏セット板固定ネジ孔３ｃに形成された雌ネジとの螺合が解除される。同様にして、４個の遊技盤固定ボルト１６のうちの残りの３個を用いて、裏セット板固定ボルト１７の雄ネジ１７ａと裏セット板固定ネジ孔３ｃに形成された雌ネジとの螺合を解除する。これにより、裏セット板１８の固定が解除され、裏セット板１８を本体枠３から取り外すことができる。このとき、裏セット板固定ボルト１７の雄ネジ１７ａと裏セット板ネジ孔１８ｄに形成された雌ネジとが螺合しており、裏セット板固定ボルト１７が裏セット板１８から外れることはないため、遊技盤４と裏セット板１８との一体化を維持することができる。そして、遊技盤４と裏セット板１８とを一体化した状態で本体枠３から取り外し、新たな遊技盤４と裏セット板１８とを、上述したように本体枠３に固定する。
【００２３】
また、パチンコ機２の機種交換を行う際に、遊技盤４のみを新たなものに交換する場合には、ドライバにより、４個の遊技盤固定ボルト１６を図４中Ｂ方向に回転し、遊技盤固定ボルト１６の雄ネジ１６ａと本体枠３の遊技盤固定ネジ孔３ｂに形成された雌ネジとの螺合を解除し、遊技盤４の固定を解除して、遊技盤４のみを本体枠３から取り外す。そして、新たな遊技盤４を、上述したように本体枠３に固定する。
【００２４】
このように、遊技盤４と裏セット板１８とを両方新たなものに交換することによりパチンコ機２の機種交換を行う場合には、遊技盤固定ボルト１６を用いて、遊技盤４と裏セット板１８とを一体化するとともに、裏セット板固定ボルト１７の雄ネジ１７ａと本体枠３の裏セット板固定ネジ孔３ｃに形成された雌ネジとの螺合を解除することにより、遊技盤４と裏セット板１８とを一体化した状態で本体枠３から取り外すことができるから、作業者の手間を低減することができるともに、作業性を向上することができる。また、遊技盤４のみを両方新たなものに交換することによりパチンコ機２の機種交換を行う場合には、遊技盤固定ボルト１６を用いた遊技盤４と裏セット板１８との一体化を行わないことにより、遊技盤４のみを本体枠３から取り外すことができるから、新たなものに交換しない裏セット板１８を本体枠３に固定したままにすることができ、作業者の手間を低減することができるともに、作業性を向上することができる。すなわち、状況に応じて、遊技盤４と裏セット板１８とを一体化して取り外すか個別に取り外すかを選択することができる。
【００２５】
なお、上記実施形態では、遊技盤固定ボルト１６の頭部１６ｂを、遊技盤４の露呈孔４ｃよりも大きい径で形成し、遊技盤固定ボルト１６を用いて遊技盤４と裏セット板１８とを一体化したときに遊技盤４が取り外し不能となるようにしたが、露呈孔４ｃに、遊技盤固定ボルト１６の雄ネジ１６ａに螺合する雌ネジを形成するようにし、この螺合により遊技盤４を取り外し不能にするようにしてもよい。
【００２６】
また、上記実施形態では、遊技盤固定ボルト１６と裏セット板固定ボルト１７とを４個設けた構成にしたが、これらの個数は適宜変更されるものである。さらに、遊技盤固定ボルト１６と裏セット板固定ボルト１７とは、同じ個数設けることが好ましく、これにより、遊技盤固定ボルト１６を用いて遊技盤４と裏セット板１８との一体化を行う際に、遊技盤固定ボルト１６が余ることがないため、遊技盤固定ボルト１６を紛失することがなくなり、さらには、遊技盤４と裏セット板１８との一体化を行うために遊技盤固定ボルト１６とは別のボルトを用意する必要がないため、作業性を向上することができる。
【図面の簡単な説明】
【００２７】
【図１】本発明を実施したパチンコ機の外観を示す斜視図である。
【図２】本体枠と遊技盤と裏セット板とを示す分解斜視図である。
【図３】本体枠と裏セット板と裏セット板固定ボルトとを示す側面断面図である。
【図４】本体枠と遊技盤と裏セット板と遊技盤固定ボルトとを示す側面断面図である。
【図５】遊技盤と裏セット板との構成を分解した状態の概略を示す側面断面図である。
【図６】遊技盤固定ボルトにより遊技盤と裏セット板とを一体化した状態の本体枠と遊技盤と裏セット板と遊技盤固定ボルトと裏セット板固定ボルトとを示す側面断面図である。
【図７】遊技盤固定ボルトにより一体化した遊技盤と裏セット板とを本体枠から取り外した状態を示す本体枠と遊技盤と裏セット板と遊技盤固定ボルトと裏セット板固定ボルトとを示す側面断面図である。
【符号の説明】
【００２８】
２  パチンコ機（遊技機）
３  本体枠（本体基部）
３ａ  固定部
３ｂ  遊技盤固定ネジ孔（第２本体ネジ孔）
３ｃ  裏セット板固定ネジ孔（第１本体ネジ孔）
４  遊技盤
４ａ  遊技領域
４ｂ  挿通孔（貫通孔）
４ｃ  露呈孔（ボルト挿通孔）
４ｄ  収納凹部
７  パチンコ球
１６  遊技盤固定ボルト（第２ボルト）
１６ａ  雄ネジ
１６ｂ  頭部
１７  裏セット板固定ボルト（第１ボルト）
１７ａ  雄ネジ
１７ｂ  頭部
１７ｃ  頭部ネジ孔
１８  裏セット板（裏機構板）
１８ａ  本体部
１８ｄ  裏セット板ネジ孔（貫通ネジ孔）
【図１】
2006015073.tif 000003
【図２】
2006015073.tif 000004
【図３】
2006015073.tif 000005
【図４】
2006015073.tif 000006
【図５】
2006015073.tif 000007
【図６】
2006015073.tif 000008
【図７】
2006015073.tif 000009